(57)【要約】先端で終端する長尺体と、基板上で前記先端の位置をトラッキング可能となるように構成されたロケーターデバイスと、主として前記長尺体内に配置された筆記手段と、を有するペンを含むデジタイザーペン。前記筆記手段は、略先端にて電荷を有し、印加された電界に反応する前記基板上で筆記を行う。
2006518511.tif 000002
【特許請求の範囲】
【請求項１】
ペンを含むデジタイザーペンであって、
（ａ）先端で終端する長尺体と、
（ｂ）基板上で前記先端の位置をトラッキング可能となるように構成されたロケーターデバイスと、
（ｃ）主に前記長尺体内に配置された筆記手段と、
を有し、前記筆記手段は、略前記先端にて電荷を有することで、印加された電界に反応する前記基板上で筆記を行う、デジタイザーペン。
【請求項２】
前記ロケーターデバイスは、前記先端に隣接配置された少なくとも１つの超音波振動子を含む、請求項１に記載のデジタイザーペン。
【請求項３】
前記筆記手段は、少なくとも部分的に絶縁される帯電部材を含む、請求項１に記載のデジタイザーペン。
【請求項４】
前記筆記手段と前記長尺体との間に配置された圧力解放構造をさらに含み、前記圧力解放構造は、前記筆記手段の局所的な圧力で前記基板が破損することを防止する構成を有する、請求項１に記載のデジタイザーペン。
【請求項５】
デジタイザーペンシステムであって、
（ａ）請求項１に記載のデジタイザーペンと、
（ｂ）前記筆記手段の近接に反応して、外観の明らかな局所的変化を生成する少なくとも１枚の電子ペーパーと、
を含むデジタイザーペンシステム。
【請求項６】
ペンを含むデジタイザーペンであって、
（ａ）先端で終端する長尺体と、
（ｂ）基板上で前記先端の位置をトラッキング可能となるように構成されたロケーターデバイスと、
（ｃ）主に前記長尺体内に配置された筆記手段と、
を含み、前記筆記手段は、略前記先端にて電荷を生成することで、印加された電界に反応する前記基板上で筆記を行う構成を有する、デジタイザーペン。
【請求項７】
前記ロケーターデバイスは、前記先端に隣接配置された少なくとも１つの超音波振動子を含む、請求項６に記載のデジタイザーペン。
【請求項８】
前記筆記手段と前記長尺体との間に配置された圧力解放構造をさらに含み、前記圧力解放構造は、前記筆記手段の局所的な圧力で前記基板が破損することを防止する構成を有する、請求項６に記載のデジタイザーペン。
【請求項９】
請求項６に記載のデジタイザーペンであって、
（ａ）前記ペンは、２つの電気的接点を有する電池を含み、
（ｂ）前記筆記手段は、帯電可能部材を含み、前記帯電可能部材は、前記電気的接点の１つと電気的に接続することで帯電される構成を有し、
（ｃ）前記帯電可能部材は、少なくとも部分的に絶縁される、請求項６に記載のデジタイザーペン。
【請求項１０】
前記ペンは、極性コントローラーを含み、前記極性コントローラーは、前記１つの電気的接点の代わりに前記電気的接点のうちの他の電気的接点と前記帯電可能部材を電気的に接続させる構成を有し、前記筆記手段が略前記先端にて電荷を生成し、前記基板上で消去機能を実行することができる、請求項９に記載のデジタイザーペン。
【請求項１１】
前記ペンは、接地コントローラーを含み、前記接地コントローラーは、前記筆記手段がポインティングデバイス機能を実行することができるように、前記帯電可能部材を接地する構成を有する、請求項９に記載のデジタイザーペン。
【請求項１２】
前記長尺体は、前記電気的接点のうちの他の電気的接点を前記基板と電気的に接続させることができるように構成した導電性部分を含む、請求項９に記載のデジタイザーペン。
【請求項１３】
前記ペンは、前記長尺体内に配置された接触スイッチを含み、前記接触スイッチは、前記筆記手段が前記基板と接触すると、前記電池と前記帯電可能部材とを電気的に接続させる構成を有する、請求項９に記載のデジタイザーペン。
【請求項１４】
デジタイザーペンシステムであって、
（ａ）請求項６に記載のデジタイザーペンと、
（ｂ）前記筆記手段の近接に反応して、外観の明らかな局所的変化を生成する少なくとも１枚の電子ペーパーと、
を含むデジタイザーペンシステム。
【請求項１５】
ペンを含むデジタイザーペンであって、
（ａ）先端で終端する長尺体と、
（ｂ）基板上で前記先端の位置をトラッキング可能となるように構成されたロケーターデバイスと、
（ｃ）主に前記長尺体内に配置された筆記手段と、
を含み、前記筆記手段は、印加された磁界に反応する前記基板上で筆記を行うために、前記先端の近くに磁界線を集中させるように構成された磁気構造を有する、デジタイザーペン。
【請求項１６】
前記ロケーターデバイスは、前記先端に隣接配置された少なくとも１つの超音波振動子を含む、請求項１５に記載のデジタイザーペン。
【請求項１７】
前記筆記手段と前記長尺体との間に配置された圧力解放構造をさらに含み、前記圧力解放構造は、前記筆記手段の局所的な圧力で前記基板が破損することを防止する構成を有する、請求項１５に記載のデジタイザーペン。
【請求項１８】
デジタイザーペンシステムであって、
（ａ）請求項１５に記載のデジタイザーペンと、
（ｂ）前記筆記手段の近接に反応して、外観の明らかな局所的変化を生成する少なくとも１枚の磁気ペーパーと、
を含む、デジタイザーペンシステム。
【請求項１９】
前記磁気構造は、前記先端の近くに配置された永久磁石を含む、請求項１５に記載のデジタイザーペン。
【請求項２０】
前記磁気構造は、永久磁石と、前記永久磁石と協働する軟磁性要素とを含み、前記軟磁性要素は、前記先端の近くに配置される、請求項１５に記載のデジタイザーペン。
【請求項２１】
前記磁気構造は、電磁石と、前記電磁石と協働する軟磁性要素とを含み、前記軟磁性要素は、前記先端の近くに配置される、請求項１５に記載のデジタイザーペン。
【発明の詳細な説明】
【技術分野】
【０００１】
本発明は、デジタイザーペンに関し、特に一時的な筆記を行うように構成されたデジタイザーペンに関する。
【背景技術】
【０００２】
前置きとして、電子ペンをトラッキングするデジタイザーシステムは、手書きの文書および図面を電子的にトラッキングして格納することが可能である。前記電子ペンは、典型的に赤外線信号、超音波信号およびその他の通信方法の少なくとも１つを含む通信方法を使用する前記デジタイザーシステムのベース・ユニットと通信する。前記ベース・ユニットは、また電子ペンあるいはスタイラスの動きを記録するために、パーソナルデジタルアシスタント（ＰＤＡ）のような外部機器とも通信する。
【特許文献１】米国特許出願10/098,390号
【発明の開示】
【発明が解決しようとする課題】
【０００３】
事前にペンの動きの跡を視認できない場合には、筆記あるいは描画を行うことが難しいため、使用するペーパー上にペンで筆記したものを見ることが短期的に必要である。しかし、長期にわたる筆記の記録は、不要である。長期にわたる筆記による記録は、資源の無駄であるとともに、収納スペースも必要であり、また守秘の点から見ても危険性がある。
したがって、一時的な筆記を行うように構成されたデジタイザーペンが必要である。
【課題を解決するための手段】
【０００４】
本発明は、デジタイザーペンに関する。
本発明の教示によって、ペンを含むデジタイザーペンを提供する。かかるデジタイザーペンは、（ａ）先端で終端する長尺体と、（ｂ）基板上で前記先端の位置をトラッキング可能となるように構成されたロケーターデバイスと；（ｃ）主に前記長尺体内に配置された筆記手段と、を有し、前記筆記手段は、略前記先端にて電荷を有することで、印加された電界に反応する前記基板上で筆記を行う。
本発明のさらなる特徴によれば、前記ロケーターデバイスは、前記先端に隣接配置された少なくとも１つの超音波振動子を含む。
本発明のさらなる特徴によれば、前記筆記手段は、少なくとも部分的に絶縁される帯電部材を含む。
本発明のさらなる特徴によれば、前記筆記手段と前記長尺体との間に配置された圧力解放構造を提供し、前記圧力解放構造は、前記筆記手段の局所的な圧力で前記基板が破損することを防止する構成とする。
本発明のさらなる特徴によれば、デジタイザーペンシステムを提供し、かかるデジタイザーペンシステムは、（ａ）前記デジタイザーペンと、（ｂ）前記筆記手段の近接に反応して、外観の明らかな局所的変化を生成する少なくとも１枚の電子ペーパーと、を含む。
ペンを含むデジタイザーペンは、（ａ）先端で終端する長尺体と、（ｂ）基板上で前記先端の位置をトラッキング可能となるように構成されたロケーターデバイスと、（ｃ）主に前記長尺体内に配置された筆記手段と、を含み、かかる筆記手段は、印加された電界に反応する前記基板上で筆記を行うために略前記先端にて電荷を生成する構成とする。
本発明のさらなる特徴によれば、前記ロケーターデバイスは、前記先端に隣接配置された少なくとも１つの超音波振動子を含む。
【０００５】
本発明のさらなる特徴によれば、前記筆記手段と前記長尺体との間に配置された圧力解放構造を提供し、前記圧力解放構造は、前記筆記手段の局所的な圧力で前記基板が破損することを防止する構成を有する。
本発明のさらなる特徴によれば、前記ペンは、２つの電気的接点を有する電池を含み、前記筆記手段は、電気的接点の１つと電気的に接続することで帯電されるように構成された帯電可能部材を含み、前記帯電可能部材は、少なくとも部分的に絶縁される。
本発明のさらなる特徴によれば、前記ペンは、極性コントローラーを含み、前記１つの電気的接点の代わりに他の電気的接点と、前記帯電可能部材を電気的に接続させることで、前記筆記手段が略前記先端にて電荷を生成して、前記基板上で消去機能を実行するように、かかる極性コントローラーを構成する。
本発明のさらなる特徴によれば、前記ペンは、接地コントローラーを含み、前記接地コントローラーは、前記筆記手段がポインティングデバイス機能を実行することができるように、前記帯電可能部材を接地する構成を有する。
【０００６】
本発明のさらなる特徴によれば、前記長尺体は、導電性部分を含み、前記導電性部分は、前記基板と他の電気的接点との電気的接続を可能にする構成を有する。
本発明のさらなる特徴によれば、前記ペンは、前記長尺体内に配置された接触スイッチを含み、前記接触スイッチは、前記筆記手段が前記基板と接触すると、前記電池と前記帯電可能部材とを電気的に接続させる構成を有する。
本発明のさらなる特徴によれば、デジタイザーペンシステムを提供し、前記デジタイザーペンシステムは、（ａ）前記デジタイザーペンと、（ｂ）前記筆記手段の近接に反応して、外観の明らかな局所的変化を生成する少なくとも１枚の電子ペーパーと、を含む。
ペンを含むデジタイザーペンは、（ａ）先端で終端する長尺体と、（ｂ）基板上で前記先端の位置をトラッキング可能となるように構成されたロケーターデバイスと、（ｃ）主に前記長尺体内に配置された筆記手段と、を含み、前記筆記手段は、印加された磁界に反応する前記基板上で筆記を行うために、前記先端の近くに磁界線を集中させるように構成された磁気構造を有する。
本発明のさらなる特徴によれば、前記ロケーターデバイスは、前記先端に隣接配置された少なくとも１つの超音波振動子を含む。
【０００７】
本発明のさらなる特徴によれば、前記筆記手段と前記長尺体との間に配置された圧力解放構造を提供し、前記圧力解放構造は、前記筆記手段の局所的な圧力で前記基板が破損することを防止する構成を有する。
本発明のさらなる特徴によれば、（ａ）前記デジタイザーペンと、（ｂ）前記筆記手段の近接に反応して、外観の明らかな局所的変化を生成する少なくとも１枚の磁気ペーパーと、を含むデジタイザーペンシステムを提供する。
本発明のさらなる特徴によれば、前記磁気構造は、前記先端の近くに配置された永久磁石を含む。
本発明のさらなる特徴によれば、前記磁気構造は、永久磁石と前記永久磁石と協働する軟磁性要素とを含み、前記軟磁性要素は、前記先端の近くに配置される。
本発明のさらなる特徴によれば、前記磁気構造は、電磁石と、前記電磁石と協働する軟磁性要素とを含み、前記軟磁性要素は、前記先端の近くに配置される。
【発明を実施するための最良の形態】
【０００８】
添付の図面を参照しつつ、単なる例示として、以下に本発明を説明する。
本発明は、一時的な筆記を行うように構成したデジタイザーペンである。
図面および図面に伴う説明を参照することで、本発明によるデジタイザーペンの原理および動作をより良く理解することができる。
前置きとして、事前にペンを動かした跡を視認できなければ、筆記または描画は、困難であるため、使用するペーパー上でデジタイザーペンによる筆記を見ることが短期的に必要である。しかし、筆記したものを長期にわたって記録しておくことは、不要である。そのため、前記ペンの筆記を行う先端の近くで磁界または電界に反応するペーパーを使用することで、この問題を解決できる。Tateの米国特許第3,036,388号とNakanishiらの米国特許第5,411,398号 は、磁気ペーパーを開示している。
【０００９】
図１は、本発明の好適な実施形態により構成され作動する１枚の磁気ペーパー１２上で筆記を行うように構成されたデジタイザーペン１０の概略図である。磁気ペーパー１２は、基板であり、この基板は、印加された磁界の近接に反応して、前記基板に外観の可逆的な明らかな局所的変化を生成する。デジタイザーペン１０は、主グリップ面１６を有する長尺体１４を有する。長尺体１４は、先端１８で終端する。デジタイザーペン１０は、磁気ペーパー１２上で先端１８の位置をトラッキング可能となるように構成されたロケーターデバイスを含む。前記ロケーターデバイスは、典型的に長尺体１４の表面下で先端１８に隣接配置された少なくとも１つの超音波振動子２０を含む。デジタイザーペン１０は、また主として長尺体１４内に配置された筆記手段２２を含む。筆記手段２２の本体は、プラスチックか金属で製造されるのが一般的である。筆記手段２２は、また磁気構造２４を含み、かかる磁気構造２４は、磁気ペーパー１２上での筆記のために先端１８付近に磁界線２６を集中させる構成とする。磁界が先端１８付近に集中しなければ、磁気ペーパー１２上に作成される画像は、鮮明な画像にならず、ぼやけてしまう。先端１８の周りに磁界線２６を集中させることで、磁気構造２４が磁気ペーパー１２上に外観の明らかな局所的変化を生じさせることができ、これによりデジタイザーペン１０の先端１８の動きによって作成される画像がぼやけることなく、鮮明な画像となる。磁気構造２４は、典型的には棒磁石である永久磁石２８を含み、かかる磁石２８は、先端１８近くに位置している。永久磁石２８の伸長方向は、長尺体１４の伸長方向に平行である。磁気構造２４は、また永久磁石２８と協働する軟磁性要素３０を含む。軟磁性要素３０は、典型的に軟鉄の円錐形構造である。軟磁性要素３０は、永久磁石２８が生成した磁界が長尺体１４の伸長方向と平行な方向に先端１８を超えて伸びていくように、永久磁石２８の生成した磁界を限定する構成を有する。その反面、長尺体１４の伸長方向に垂直な方向における磁界強度は、急速に減衰する。デジタイザーペン１０は、また圧力解放構造３２を含む。圧力解放構造３２は、典型的にはバネであり、筆記手段２２と長尺体１４の間に配置される。圧力解放構造３２は、筆記手段２２の局所化された圧力で磁気ペーパー１２が破損することを防止する構成とする。デジタイザーペン１０は、典型的に接触スイッチ３４を含む。筆記手段２２が磁気ペーパー１２と接触すると、接触スイッチ３４が起動するように、接触スイッチ３４が配置される。接触スイッチ３４が起動すると、デジタイザーシステムは、筆記動作が実行されていることを認識し、デジタイザーペン１０の動きを筆記の動きであると解する。圧力解放構造３２の復原力は、接触スイッチ３４の復原力より大きい。
【００１０】
図２は、本発明の実施形態の第１の変形例により構成され作動する１枚の磁気ペーパー３８上で筆記を行うように構成されたデジタイザーペン３６の概略図である。デジタイザーペン３６は、磁気構造２４（図１）の代わりに、軟磁性要素４４近くに配置される電磁石４２を含む電磁石構造４０を有することを除けば、デジタイザーペン１０（図１）と略同じである。軟磁性要素４４は、典型的に円錐形の先端で終端する軟鉄棒である。軟磁性要素４４の円錐形の先端は、先端１８の近くに配置される。電磁石４２は、電池４６によって作動する。電池４６には、電磁石４２に印加された電圧を増大させる昇圧変換器８８が含まれる。電磁石４２は、接触スイッチ３４により起動する。接触スイッチ３４は、また図１を参照して説明される機能を提供する。
前置きとして、印加された電界に反応する電子ペーパーを利用できる。印加された電界を電子ペーパーに近づけると、電子ペーパーの表面の色が変化する。電子ペーパーは、米国マサチューセッツ州ケンブリッジのE-Ink社から市販されている。E-Ink社の電子ペーパーは、何百万もの透明な球面の球体を含み、その１つ１つは、直径約１００ミクロンである。各球体は、濃い有色の液体と白色の酸化チタン粒子で満ちている。電子ペーパーの底面に電極が印刷されている。正の電界を球体に印加すると、白色の二酸化チタン粒子が球体の表面に移動することで、電子ペーパーの表面が白く見える。電子ペーパーは、ジリコン（Gyricon）と呼ばれる電子ペーパーを製造するゼロックス（Xerox）社とスリーエム（３M）社からも市販されている。ジリコンは、若干トナー粒子に似た、何百万もの小さいビーズがランダムに分散した透明なプラスチックの薄い層である。ビーズは、それぞれオイルを充満させた空洞内に含まれ、それらの空洞内を自由に回転する。前記ビーズは、２色構成、即ち２つの対比色を有し、電気的双極子を示すように帯電された半球を有する。電界をシート表面に印加すると、ビーズが回転して一方の色の側が示される。新たな電界パターンを印加するまで、画像は、消えずに持続する。
【００１１】
図３は、本発明の実施形態の第２の変形例により構成され作動する１枚の電子ペーパー５０上で筆記を行うように構成されたデジタイザーペン４８の概略図である。デジタイザーペン４８は、先端５４で終端する長尺体５２を有する。デジタイザーペン４８は、また電子ペーパー５０上で先端５４の位置をトラッキング可能となるように構成されたロケーターデバイスを含む。デジタイザーペン４８のロケーターデバイスは、典型的に先端５４に隣接配置された少なくとも１つの超音波振動子５６を含む。デジタイザーペン４８は、また主に長尺体５２内に配置された筆記手段５８を含む。筆記手段５８は、帯電部材６０を含む。したがって、印加された電界に反応して電子ペーパー５０あるいは任意の基板上に筆記を行うべく、略先端５４において電荷が生成される。帯電部材６０により生成された電界が、長尺体５２の伸長方向に平行な方向で先端５４を超えて伸びていくことから、電荷は、「略先端５４に生成される」と記述される。しかし、長尺体５２の伸長方向に垂直な方向における電界強度は、急速に減衰する。したがって、電子ペーパー５０が筆記手段５８の近接に反応することで、電子ペーパー５０の表面上に、外観の明らかな局所的変化が生じる。なお、筆記手段５８が電子ペーパー５０の表面上に、外観の明らかな局所的変化を生成するために、電子ペーパー５０は、一般的にその底面で接地される必要があることに注目されたい。特に帯電部材６０が長尺体５２への新規の帯電部材の挿入中に扱われる際に、帯電部材６０は、電荷の不必要な損失を防止するために絶縁される。帯電部材６０は、筆記手段５８とともに交換可能な構成とする。デジタイザーペン４８は、内部エレクトロニクスのために従来のペンのように取り外しができないため、筆記手段５８の取り外しは、問題となる。したがって、筆記手段５８は、先端５４で長尺体５２の開口部を介して長尺体５２に挿入する必要がある。長尺体５２内に筆記手段５８を保持するとともに、長尺体５２から筆記手段５８を取り外すシステムは、２００２年３月１８日に出願され同時係属中の米国特許出願10/098,390号に開示されている。デジタイザーペン１０（図１）と同じように、デジタイザーペン４８は、筆記手段５８が電子ペーパー５０を破損させることを防止する圧力解放構造６２を含む。
【００１２】
図４は、本発明の実施形態の第３の変形例により構成され作動する１枚の電子ペーパー６６上に筆記を行うように構成されたデジタイザーペン６４の概略図である。デジタイザーペン６４は、デジタイザーペン４８（図３）と略同じである。しかし、前記筆記手段が前記筆記基板と接触する際に電界を生じさせるのは、デジタイザーペン６４のみである。デジタイザーペン６４は、先端７０で終端する長尺体６８を有する。デジタイザーペン６４は、また電子ペーパー６６上における先端７０の位置をトラッキング可能となるように構成されたロケーターデバイスを含む。デジタイザーペン６４の前記ロケーターデバイスは、また典型的に先端７０に隣接配置された少なくとも１つの超音波振動子７２を含む。デジタイザーペン６４は、また主として長尺体６８内に配置された筆記手段７４を含む。筆記手段７４は、印加された電界に反応して電子ペーパー６６または任意の基板に筆記を行うべく、略先端７０に電荷を生じさせる構成とする。したがって、電子ペーパー６６は、筆記手段７４の近接に反応して、電子ペーパー６６の表面上に、外観の明らかな局所的変化を生成する。筆記手段７４は、典型的には銅で製造された帯電可能部材７６を含む。デジタイザーペン６４は、２つの電気的接点８０、８２を有する電池７８を含む。デジタイザーペン６４は、また昇圧変換器９０を含む。デジタイザーペン６４が、電子ペーパー６６上に、外観の明らかな局所的変化を生じさせるために、電気的接点８０は、電子ペーパー６６の下面に接続される必要がある。本発明の好適な実施形態によれば、デジタイザーペン６４は、ワイヤ９２を含み、ワイヤ９２は、その一端が電気的接点８０に接続され、他端が電子ペーパー６６の下面に接続されている。ワイヤ９２は、典型的に導電クリップ９４を用いて電子ペーパー６６に接続される。
【００１３】
第３の変形例の第１の変形例によれば、長尺体６８は、導電性金属のような導電性材料で製造される。電気的接点８０は、長尺体６８に電気的に接続される。デジタイザーペン６４の使用者が長尺体６８の導電面を持ち、電子ペーパー６６の下面に接触することで、電気的接点８０と電子ペーパー６６の下面とが接続される。
第３の変形例の第２の変形例によれば、長尺体６８は、導電性金属のような導電性材料で製造される。電気的接点８０は、長尺体６８に電気的に接続される。デジタイザーペン６４の使用者が長尺体６８の導電面を持つことで、電気的接点８０が接地される。電子ペーパー６６の下面も接地される。
電気的接点８２は、接触スイッチ８４と昇圧変換器９０を介して帯電可能部材７６に接続される。昇圧変換器９０は、電池７８によって帯電可能部材７６に印可された電圧を増大させる。接触スイッチ８４は、筆記手段７４が電子ペーパー６６に接触すると、接触スイッチ８４が作動して、帯電可能部材７６が帯電するように電気的接点８２と帯電可能な部材７６とを電気的接続させるような構成とする。図１について上述したように、接触スイッチ８４は、また筆記動作をいつ記録すべきかをデジタイザーシステムに認識させる。帯電可能部材７６は、また少なくとも部分的に絶縁されて、電荷の不必要な損失を防止する。デジタイザーペン６４は、また圧力解放構造３２（図１）と略同様の圧力解放構造８６を含む。
【００１４】
デジタイザーペン６４は極性コントローラー９６を含み、かかるコントローラー９６は、典型的に長尺体６８の外面に配置された使用者により作動されるスイッチ９８によって作動する。極性コントローラー９６は、電気的接点８２の代わりに電気的接点８０と帯電可能部材７６を電気的に接続させることで、帯電可能部材７６の極性を反転させる構成を有し、これにより略先端７０において、筆記手段７４が電荷を生成させて、電子ペーパー６６上で消去機能を実行することができる。電磁石４２を使用して作動するデジタイザーペン３６は、電磁石４２の接点の極性を反転することによって、磁気ペーパー１２上で消去機能を実行する構成とすることができることは、当業者であれば理解できよう。
デジタイザーペン６４は、またスイッチ９８により作動される接地コントローラー１００を含む。接地コントローラー１００は、筆記手段７４がポインティングデバイス機能を実行することができるように、帯電可能部材７６を接地する構成を有する。これにより、筆記手段７４は、例えば接触スイッチ８４が作動しても、電子ペーパー６６の表面上で外観の明らかな局所的変化が生じず、マウスのようなポインティングデバイス機能を実行することができる。本発明の好適な実施形態によれば、帯電可能部材７６は、ワイヤ９２により接地される。第３の変形例の第１および第２の変形例によれば、帯電可能部材７６は、使用者が長尺体６８の導電性表面を持つことにより接地される。標準的なマウスの「クリック」ボタンの機能を実行するために、デジタイザーペン６４に追加のスイッチを設けることができることは、当業者には明白であろう。
当業者であれば、本発明が以上の詳細に開示および記載したものに限定されないことは、理解できよう。本発明の範囲には、上述の多様な特徴の組み合わせおよびサブコンビネーションのみならず、当業者が以上の記載を読んだ際に発想する、従来技術にはない本発明の変形および変更も含まれる。
【図面の簡単な説明】
【００１５】
【図１】本発明の好適な実施形態により構成され作動する磁気ペーパー上で筆記を行うように構成されたデジタイザーペンの概略図。
【図２】本発明の実施形態の第１の変形例により構成され作動する磁気ペーパー上で筆記を行うように構成されたデジタイザーペンの概略図。
【図３】本発明の実施形態の第２の変形例により構成され作動する電子ペーパー上で筆記を行うように構成されたデジタイザーペンの概略図。
【図４】本発明の実施形態の第３の変形例により構成され作動する電子ペーパー上で筆記を行うように構成されたデジタイザーペンの概略図。
【符号の説明】
【００１６】
１０、３６、４８、６４  デジタイザーペン、１２、３８  磁気ペーパー、１４、５２、６８  長尺体、１６  主グリップ面、１８、５４、７０  先端、２０、５６、７２  超音波振動子、２２、５８、７４  筆記手段、２４  磁気構造、２６  磁界線、２８  永久磁石、３０、４４  軟磁性要素、３２、６２、８６  圧力解放構造、３４、８４  接触スイッチ、４０  電磁石構造、４２  電磁石、４６、７８  電池、５０、６６  電子ペーパー、６０  帯電部材、７６  帯電可能部材、８０、８２  電気的接点、８８、９０  昇圧変換器、９２  ワイヤ、９４  導電クリップ、９６  極性コントローラー、９８  スイッチ、１００  接地コントローラー
【図１】
2006518511.tif 000003
【図２】
2006518511.tif 000004
【図３】
2006518511.tif 000005
【図４】
2006518511.tif 000006
【国際調査報告】
2006518511.tif 000007